(57)【要約】【課題】メンテナンスなどを容易に行うことができる空調システムを提供する。【解決手段】建物Ｂ１の空調システムであって、建物Ｂ１は小屋裏収納室４とその下方の床上空間２とを有し、小屋裏収納室４内に空調空気吹出部５１，５１と空調空気吸込部５２とを有する空調装置５Ａが設置されており、空調装置５Ａの空調空気吹出部５１，５１と床上空間２に面して設けられた給気口６，６との間がダクト８１でそれぞれ接続されており、床上空間２に面して小屋裏収納室４と連通する排気口７が設けられた構成とされている。【選択図】図１
2013200113.tif 000002
【特許請求の範囲】
【請求項１】
建物の空調システムであって、
前記建物は小屋裏収納室とその下方の床上空間とを有し、
前記小屋裏収納室内に空調空気吹出部と空調空気吸込部とを有する空調装置が設置されており、
前記空調装置の前記空調空気吹出部と前記床上空間に面して設けられた給気口との間がダクトで接続されており、
前記床上空間に面して前記小屋裏収納室と連通する排気口が設けられていることを特徴とする空調システム。
【請求項２】
前記給気口は、前記床上空間の天井部に設けられていることを特徴とする請求項１に記載の空調システム。
【請求項３】
前記床上空間は、居室空間と共用空間とから成り、前記給気口は、前記居室空間に面して設けられていることを特徴とする請求項１又は２に記載の空調システム。
【請求項４】
前記排気口は、前記共用空間の天井部に設けられていることを特徴とする請求項３に記載の空調システム。
【請求項５】
前記空調装置の前記空調空気吸込部と前記排気口との間がダクトで接続されていることを特徴とする請求項１乃至４のいずれか１項に記載の空調システム。
【請求項６】
前記ダクトは、ダクト収納空間内に収納され、前記給気口に接続されていることを特徴とする請求項１に記載の空調システム。
【請求項７】
前記ダクト収納空間と前記小屋裏収納室とは連通しており、前記排気口は、前記ダクト収納空間を介して、前記空調装置の前記空調空気吸込部と連通していることを特徴とする請求項６に記載の空調システム。
【請求項８】
前記ダクト収納空間は、天井を少なくとも二重天井として形成された天井ダクト収納空間であることを特徴とする請求項６又は７に記載の空調システム。
【請求項９】
前記ダクト収納空間は、壁を少なくとも二重壁として形成された壁ダクト収納空間であることを特徴とする請求項６又は７に記載の空調システム。
【請求項１０】
請求項１乃至９のいずれか１項に記載の空調システムを備えていることを特徴とする建物。
【発明の詳細な説明】
【技術分野】
【０００１】
本発明は、空調システム、及びこの空調システムを備えた建物に関するものである。
【背景技術】
【０００２】
従来から、建物の小屋裏に空調装置を設置して冷暖房などの空調を行う空調システムが知られている（例えば、特許文献１等を参照）。
【先行技術文献】
【特許文献】
【０００３】
【特許文献１】特開２０１１−１３３１５６号公報
【発明の概要】
【発明が解決しようとする課題】
【０００４】
しかしながら、上記した特許文献１のような従来技術では、人が出入りし難い単なる小屋裏に空調装置を設置しているので、メンテナンスなどを容易に行うことができなかった。
【０００５】
そこで、本発明は、メンテナンスなどを容易に行うことができる空調システム、及びこの空調システムを備えた建物を提供することを目的としている。
【課題を解決するための手段】
【０００６】
前記目的を達成するために、本発明の空調システムは、建物の空調システムであって、前記建物は小屋裏収納室とその下方の床上空間とを有し、前記小屋裏収納室内に空調空気吹出部と空調空気吸込部とを有する空調装置が設置されており、前記空調装置の前記空調空気吹出部と前記床上空間に面して設けられた給気口との間がダクトで接続されており、前記床上空間に面して前記小屋裏収納室と連通する排気口が設けられていることを特徴とする。
【０００７】
ここで、前記給気口は、前記床上空間の天井部に設けられているとよい。
【０００８】
また、前記床上空間は、居室空間と共用空間とから成り、前記給気口は、前記居室空間に面して設けられているとよい。
【０００９】
さらに、前記排気口は、前記共用空間の天井部に設けられていてもよい。
【００１０】
また、前記空調装置の前記空調空気吸込部と前記排気口との間がダクトで接続されていてもよい。
【００１１】
さらに、前記ダクトは、ダクト収納空間内に収納され、前記給気口に接続されていてもよい。
【００１２】
また、前記ダクト収納空間と前記小屋裏収納室とは連通しており、前記排気口は、前記ダクト収納空間を介して、前記空調装置の前記空調空気吸込部と連通しているとよい。
【００１３】
さらに、前記ダクト収納空間は、天井を少なくとも二重天井として形成された天井ダクト収納空間であってもよい。
【００１４】
また、前記ダクト収納空間は、壁を少なくとも二重壁として形成された壁ダクト収納空間であってもよい。
【００１５】
本発明の建物は、上記した本発明の空調システムを備えていることを特徴とする。
【発明の効果】
【００１６】
このような本発明の空調システムは、建物の空調システムであって、建物は小屋裏収納室とその下方の床上空間とを有し、小屋裏収納室内に空調空気吹出部と空調空気吸込部とを有する空調装置が設置されており、空調装置の空調空気吹出部と床上空間に面して設けられた給気口との間がダクトで接続されており、床上空間に面して小屋裏収納室と連通する排気口が設けられた構成とされている。
【００１７】
こうした構成なので、空調装置が小屋裏収納室内に設置されているため、蓋付き収納階段などの出入口からこの小屋裏収納室内へ難なく出入りでき、メンテナンスなどを容易に行うことができる。
【００１８】
そのうえ、小屋裏収納室は、収納物を長期間傷まないよう保存できるように安定した温度を保つ構造であるため、空調装置の故障が生じ難い。
【００１９】
ここで、給気口は、床上空間の天井部に設けられている場合は、空調装置の空調空気吹出部と給気口との距離が短くなるので、ダクトを短くして安価且つ簡易な構成で実施することができる。
【００２０】
また、床上空間は、居室空間と共用空間とから成り、給気口は、居室空間に面して設けられている場合は、給気口から吹き出される空調空気により、人が長時間滞在する居室空間内を直接的に快適な空調環境とすることができ、居室空間と共用空間との間のドアなどの隙間から吹き出される空調空気により、廊下などの共用空間内も間接的にそれなりに快適な空調環境とすることができる。
【００２１】
さらに、排気口は、共用空間の天井部に設けられている場合は、空調装置の空調空気吹出部から吹き出された空調空気が居室空間を空調し、共用空間も空調してから空調空気吸込部に吸い込まれる循環をスムーズにすることができる。
【００２２】
また、空調装置の空調空気吸込部と排気口との間がダクトで接続されている場合は、特に、空調装置の空調空気吸込部と排気口との間が離れているときに、その間の空間における埃などを吸い込まずに済むので、フィルター交換などの空調装置のメンテナンスの頻度を減らすことができる。
【００２３】
さらに、ダクトは、ダクト収納空間内に収納され、給気口に接続されている場合は、複数の居室空間に設けた給気口にダクトを配設する際などにダクトが露出しないので、見栄えを良くすることができる。
【００２４】
また、ダクト収納空間と小屋裏収納室とは連通しており、排気口は、ダクト収納空間を介して、空調装置の空調空気吸込部と連通している場合は、ダクト収納空間のダクトとの間の隙間を排気経路とすることができるので、別途、排気用のダクトを配設する必要がない。
【００２５】
さらに、ダクト収納空間は、天井を少なくとも二重天井として形成された天井ダクト収納空間である場合は、特に、同じ階の複数の居室空間にダクトを配設する際に寄与する。
【００２６】
また、ダクト収納空間は、壁を少なくとも二重壁として形成された壁ダクト収納空間である場合は、特に、複数階にわたってダクトを配設する際に寄与する。
【００２７】
このような本発明の建物は、本発明の空調システムを備えた構成とされている。
【００２８】
こうした構成なので、上記した本発明の空調システムの効果を奏する建物とすることができる。
【図面の簡単な説明】
【００２９】
【図１】実施例１の空調システムを備えた建物の概略構成を示す説明図である。
【図２】実施例２の空調システムを備えた建物の概略構成を示す説明図である。
【図３】実施例３の空調システムを備えた建物の概略構成を示す説明図である。
【図４】実施例４の空調システムを備えた建物の概略構成を示す説明図である。
【発明を実施するための形態】
【００３０】
以下、本発明を実施するための形態を、図面に示す実施例１〜４に基づいて説明する。
【実施例１】
【００３１】
先ず、実施例１の構成について説明する。
【００３２】
図１は、実施例１の空調システムを備えた建物Ｂ１の概略構成を示している。
【００３３】
まず、この建物Ｂ１は、地盤に打設された基礎１Ｂ上に建物本体１Ａを構築して構成されている。
【００３４】
ここで、建物Ｂ１は、建物本体１Ａ内に、床上空間２を有している。
【００３５】
さらに、この床上空間２は、仕切壁２０，２０により、廊下などに利用される１つの共用空間２１と、居間や個室などに利用される２つの居室空間２２，２２とに仕切られている。
【００３６】
また、共用空間２１と居室空間２２，２２との間には、仕切壁２０の部分にドア２０ａがそれぞれ設けられており、行き来が可能とされている。
【００３７】
さらに、建物本体１Ａの上部には屋根３が設けられており、床上空間２の天井部２ａとの間に小屋裏収納室４を有している。
【００３８】
なお、床上空間２の天井部２ａには、蓋付き収納階段などの出入口９が設けられており、この小屋裏収納室４への人の出入りは容易に行えるようになっている。
【００３９】
ここで、この小屋裏収納室４内には、空調装置５Ａが設置されている。
【００４０】
この空調装置５Ａは、２つの空調空気吹出部５１，５１と、１つの空調空気吸込部５２とを有している。
【００４１】
ここで、空調空気吹出部５１，５１は、居室空間２２，２２の天井部２２ａに設けられたグリル付きの給気口６とダクト８１でそれぞれ接続されている。
【００４２】
また、共用空間２１の天井部２１ａには、小屋裏収納室４と連通するグリル付きの排気口７が設けられており、この排気口７の小屋裏収納室４側の出口近傍に空調装置５Ａの空調空気吸込部５２が配置されている。
【００４３】
そして、図示省略のコントローラにより、冷暖房などの空調を行うために空調装置５Ａを稼動させると、図１に矢印で示したように、空調装置５Ａの空調空気吹出部５１，５１から吹き出された空調空気は、ダクト８１を通って給気口６から居室空間２２内に吹き出される。
【００４４】
また、この空調空気は、居室空間２２内を空調した後、ドア２０ａの下側の隙間を通って共用空間２１内に吹き出される。
【００４５】
さらに、この空調空気は、共用空間２１内を空調した後、排気口７から小屋裏収納室４内へ吸い込まれ、空調装置５Ａの空調空気吸込部５２により吸い込まれる。
【００４６】
すなわち、この循環が繰り返されることにより、建物Ｂ１の床上空間２内全体の空調がなされる。
【００４７】
次に、実施例１の作用効果について説明する。
【００４８】
このような実施例１の空調システムは、建物Ｂ１の空調システムであって、建物Ｂ１は小屋裏収納室４とその下方の床上空間２とを有し、小屋裏収納室４内に空調空気吹出部５１，５１と空調空気吸込部５２とを有する空調装置５Ａが設置されており、空調装置５Ａの空調空気吹出部５１，５１と床上空間２に面して設けられた給気口６，６との間がダクト８１でそれぞれ接続されており、床上空間２に面して小屋裏収納室４と連通する排気口７が設けられた構成とされている。
【００４９】
こうした構成なので、空調装置５Ａが小屋裏収納室４内に設置されているため、蓋付き収納階段などの出入口９からこの小屋裏収納室４内へ難なく出入りでき、メンテナンスなどを容易に行うことができる。
【００５０】
そのうえ、小屋裏収納室４は、収納物を長期間傷まないよう保存できるように安定した温度を保つ構造であるため、空調装置５Ａの故障が生じ難い。
【００５１】
ここで、給気口６，６は、床上空間２を構成する居室空間２２，２２の天井部２２ａに設けられている。
【００５２】
このため、空調装置５Ａの空調空気吹出部５１と給気口６との距離が短くなるので、ダクトを短くして安価且つ簡易な構成で実施することができる。
【００５３】
また、床上空間２は、居室空間２２，２２と共用空間２１とから成り、給気口６は、居室空間２２，２２の天井部２２ａ，２２ａにそれぞれ設けられている。
【００５４】
このため、給気口６，６から吹き出される空調空気により、人が長時間滞在する居室空間２２，２２内を直接的に快適な空調環境とすることができ、ドア２０ａの下側の隙間から吹き出される空調空気により、廊下などの共用空間２１内も間接的にそれなりに快適な空調環境とすることができる。
【００５５】
さらに、排気口７は、共用空間２１の天井部２１ａに設けられているとともに、排気口７の小屋裏収納室４側の出口は、空調装置５Ａの空調空気吸込部５２の近傍に設けられている。
【００５６】
このため、空調装置５Ａの空調空気吹出部５１，５１から吹き出された空調空気が居室空間２２，２２を空調し、共用空間２１も空調してから空調空気吸込部５２に吸い込まれる循環をスムーズにすることができる。
【００５７】
また、排気口７から小屋裏収納室４内へ吸い込まれた空調空気は、小屋裏収納室４内を循環するので、小屋裏収納室４内に湿気や臭気が滞留することを防止できる。
【００５８】
このような実施例１の建物Ｂ１は、上記した実施例１の空調システムを備えた構成とされている。
【００５９】
こうした構成なので、上記した実施例１の空調システムの作用効果を奏する建物とすることができる。
【実施例２】
【００６０】
次に、実施例２について説明する。
【００６１】
なお、実施例１で説明した内容と同一乃至均等な部分の説明については同一符号を付して説明する。
【００６２】
図２は、実施例２の空調システムを備えた建物Ｂ２の概略構成を示している。
【００６３】
この実施例２の空調システムでは、居室空間２２，２２の天井部２２ａ，２２ａに排気口７がそれぞれ設けられるとともに、これらの排気口７，７が空調装置５Ｂに設けられた２つの空調空気吸込部５２，５２とダクト８２でそれぞれ接続されていることが実施例１の空調システムと主に異なる。
【００６４】
このため、ダクト８２，８２の存在により、空調空気吸込部５２，５２と排気口７，７との間の空間における埃などを吸い込まずに済むので、フィルター交換などの空調装置５Ｂのメンテナンスの頻度を減らすことができる。
【００６５】
なお、他の構成及び作用効果については、実施例１と略同様であるので説明を省略する。
【実施例３】
【００６６】
次に、実施例３について説明する。
【００６７】
なお、実施例１で説明した内容と同一乃至均等な部分の説明については同一符号を付して説明する。
【００６８】
図３は、実施例３の空調システムを備えた建物Ｂ３の概略構成を示している。
【００６９】
この実施例３の空調システムでは、空調装置５Ｃの下部に設けられた空調空気吸込部５２が排気口７と直接連通することが実施例１の空調システムと主に異なる。
【００７０】
このため、空調空気吸込部５２と排気口７との間をダクトレスにすることができるうえに、その間の空間が無く、その分、埃などを吸い込まずに済むので、フィルター交換などの空調装置５Ｃのメンテナンスの頻度を減らすことができる。
【００７１】
なお、他の構成及び作用効果については、実施例１と略同様であるので説明を省略する。
【実施例４】
【００７２】
次に、実施例４について説明する。
【００７３】
なお、実施例１で説明した内容と同一乃至均等な部分の説明については同一符号を付して説明する。
【００７４】
図４は、実施例４の空調システムを備えた建物Ｂ４の概略構成を示している。
【００７５】
この実施例４の空調システムでは、２階建ての建物Ｂ４に適用し、１階と２階の共用空間２１，２１の上部を区画して、一部の天井部２１ａ，２１ａを二重天井とし、ダクト収納空間としての天井ダクト収納空間１０，１０を形成するとともに、２階の共用空間２１の側部を区画して、一部の右側の仕切壁２０を二重壁とし、天井ダクト収納空間１０，１０と連通するダクト収納空間としての壁ダクト収納空間１１を形成している。
【００７６】
そして、空調装置５Ｄの空調空気吹出部５１は、居室空間２２，・・・の仕切壁２０に設けられた給気口６とダクト８１，・・・及び分岐チャンバ８３でそれぞれ接続されている。
【００７７】
さらに、共用空間２１，２１の天井部２１ａ，２１ａには、排気口７がそれぞれ設けられており、２階の天井ダクト収納空間１０と小屋裏収納室４との間が連通孔４ａで連通していることが実施例１の空調システムと主に異なる。
【００７８】
ここで、小屋裏収納室４の出入口９は、２階の共用空間２１の天井部２１ａが一重になっている部分に設けられている。
【００７９】
このため、２階建ての建物Ｂ４の複数の居室空間２２，・・・の給気口６にダクト８１，・・・をそれぞれ配設するに際し、ダクト８１，・・・及び分岐チャンバ８３，８３が露出しないので、見栄えを良くすることができる。
【００８０】
さらに、ダクト収納空間としての天井ダクト収納空間１０，１０及び壁ダクト収納空間１１とダクト８１，・・・との間の隙間を排気経路とすることができるので、別途、排気用のダクトを配設する必要がない。
【００８１】
ここで、天井ダクト収納空間１０は、特に、同じ階の複数の居室空間２２，２２にダクト８１，・・・を配設するのに寄与している。
【００８２】
また、壁ダクト収納空間１１は、特に、２階にわたってダクト８１を配設するのに寄与している。
【００８３】
なお、他の構成及び作用効果については、実施例１と略同様であるので説明を省略する。
【００８４】
以上、図面を参照して、本発明を実施するための形態を実施例１〜４に基づいて詳述してきたが、具体的な構成は、これら実施例１〜４に限らず、本発明の要旨を逸脱しない程度の設計的変更は、本発明に含まれる。
【００８５】
例えば、上記した実施例１〜４では、説明を簡単にするために、建物Ｂ１，Ｂ２，Ｂ３，Ｂ４を単純な構造として実施したが、これに限定されず、より複雑な構造で実施してもよい。
【００８６】
また、上記した実施例１〜３では、給気口６を居室空間２２，２２の天井部２２ａに設けて実施したが、これに限定されず、例えば、上記した実施例４のように、仕切壁２０などの内壁部に設けて実施してもよい。
【００８７】
さらに、上記した実施例１〜４では、空調空気を居室空間２２から共用空間２１に吹き出すのにドア２０ａの下側の隙間を利用して実施したが、これに限定されず、例えば、ドア２０ａに欄間を設けるなどして実施してもよい。
【００８８】
また、上記した実施例１〜４では、小屋裏収納室４に出入口９が設けられていることを記載したが、例えば、この出入口９の周辺に隙間を設け、この隙間を小屋裏収納室４への空気の流入経路として利用するようにして実施してもよい。
【００８９】
さらに、上記した実施例４では、ダクト収納空間としての天井ダクト収納空間１０，１０と連通する排気口７を共用空間２１，２１の天井部２１ａ，２１ａにそれぞれ設けて実施したが、これに限定されず、例えば、排気口７を、居室空間２２，・・・の給気口６と隣り合うようにそれぞれ設け、居室空間２２，・・・から、共用空間２１を介さずに、ダクト収納空間としての天井ダクト収納空間１０，１０及び壁ダクト収納空間１１とダクト８１，・・・との間の隙間を排気経路として排気するようにして実施してもよい。
【符号の説明】
【００９０】
Ｂ１    建物
Ｂ２    建物
Ｂ３    建物
Ｂ４    建物
１Ａ    建物本体
１Ｂ    基礎
２      床上空間
２ａ    床上空間の天井部
２０    仕切壁
２０ａ  ドア
２１    共用空間
２１ａ  共用空間の天井部
２２    居室空間
２２ａ  居室空間の天井部
３      屋根
４      小屋裏収納室
４ａ    連通孔
５Ａ    空調装置
５Ｂ    空調装置
５Ｃ    空調装置
５Ｄ    空調装置
５１    空調空気吹出部
５２    空調空気吸込部
６      給気口
７      排気口
８１    ダクト
８２    ダクト
８３    分岐チャンバ
９      出入口
１０    天井ダクト収納空間（ダクト収納空間）
１１    壁ダクト収納空間（ダクト収納空間）
【図１】
2013200113.tif 000003
【図２】
2013200113.tif 000004
【図３】
2013200113.tif 000005
【図４】
2013200113.tif 000006